【事件の表示】
　特願２０１４−５６０１２１「力コンセントレータ」拒絶査定不服審判事件〔平成２６年　６月１２日国際公開、ＷＯ２０１４／０８８６１６、平成２７年　４月３０日国内公表、特表２０１５−５１３１８６〕について、次のとおり審決する。
【結　論】
　本件審判の請求は、成り立たない。
【理　由】
第１　手続の経緯
　本願は、２０１３年（平成２５年）３月２日（パリ条約による優先権主張外国庁受理　２０１２年３月２日、２０１２年３月６日、２０１２年３月２１日、２０１２年５月１０日、いずれも米国）を国際出願日とする出願であって、その手続の経緯は、概略、以下のとおりである。
　平成２８年１２月１５日付け：拒絶理由通知書
　平成２９年　３月１６日　　：意見書、手続補正書の提出
　　　　同年　８月２５日付け：拒絶理査定
　　　　同年１１月３０日　　：審判請求書、手続補正書の提出
　平成３０年１１月１３日付け：拒絶理由通知書
　平成３１年　２月１５日　　：意見書、手続補正書の提出
第２　本願発明
　本願の請求項１〜９に係る発明は、平成３１年２月１５日の手続補正により補正された特許請求の範囲の請求項１〜９に記載された事項により特定されるとおりのものであるところ、その請求項１に係る発明（以下、「本願発明」という。）は次のとおりのものである。
「【請求項１】
　感圧キーであって、当該感圧キーは：
　１つ以上の導体部を有するセンサ基板と；
　該センサ基板からスペーサ層を介して離間して配置され、且つ入力を開始するべく、屈曲させて前記センサ基板に接触させるように構成された可撓性コンタクト層と；
　前記センサ基板とは反対側の前記可撓性コンタクト層の近くに配置された力コンセントレータ層であって、該力コンセントレータ層は、前記力コンセントレータ層と前記可撓性コンタクト層との間に配置されたパッドを有しており、前記可撓性コンタクト層は、前記スペーサ層同士の間に連続的に延びる力感知インクを含み、前記センサ基板は、前記スペーサ層同士の間に連続的に延びる前記導体部を含み、前記力コンセントレータ層に加えられた圧力が前記パッドを介して導かれ且つ前記可撓性コンタクト層に亘って拡げられて、前記可撓性コンタクト層が前記センサ基板に接触され、入力が開始され、前記圧力が前記力コンセントレータ層に加えられた接触部の曲げ半径よりも前記可撓性コンタクト層の変形曲げ半径を減少させるように構成された、力コンセントレータ層と；を有する、
　感圧キー。」
第３　拒絶の理由
　平成３０年１１月１３日付けの当審が通知した拒絶理由のうち理由３（進歩性）は、概略、次のとおりである。
　この出願の請求項１〜１０に係る発明は、その出願前（優先日前）に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　引用文献１：国際公開第２０１１／１３８２００号
　引用文献２：特開２００７−１７３１８５号公報（周知技術を示す文献）
　引用文献３：特開２００６−２６６８１２号公報
　引用文献４：特開２００５−７８１０４号公報
第４　引用文献の記載事項及び引用発明
１　引用文献１
（１）本願の優先日前に頒布された刊行物である引用文献１には、「INPUT DEVICE」（入力装置）に関して、図面（特に図３〜５）と共に、次の事項が記載されている。（下線は当審で付した。）
ア　段落[0016]
　「[0016] Those skilled will appreciate that in the input device according to the first aspect of the invention, the force-transmitting element (an possibly other spacer elements between the cover member and the first carrier film) are mutually spaced to an extent which allows the cover member to bend with a large bending radius when pressed by the user. The force-transmitting elements then press on the first carrier film, which bends with a much smaller bending radius.」
（当審仮訳）
　本発明の第１の態様による入力装置において、力伝達要素（と場合によっては、カバー部材と第１のキャリアフィルムとの間にある他のスペーサ要素）は、
使用者によって押圧されたときに、カバー部材が大きな曲げ半径で曲がる
第１のキャリアフィルムははるかに小さい曲げ半径で曲がる
イ　段落[0025]
　「[0025] Fig. 3 shows an example of an input device 310 according to the first aspect of the invention. The input device 310 comprises a pressure sensor in the form of a membrane switch 312. The membrane switch 312 includes a first carrier film 314, a second carrier film 316 and a spacer 318 sandwiched between the first and second carrier films 314, 316. The membrane switch 312 comprises a plurality of sensor cells 320 (only one of which is shown) defined by respective openings in the spacer 318. In each sensor cell 320, the membrane switch comprises a first electrode 330a arranged on the first carrier film as well as a second and a third electrode 330b, 330c arranged on the second carrier film 316, in facing relationship with the first electrode. When a force exerted on the first carrier film 314 causes it to bend into the sensor cell 320 towards the second carrier film 316, the first and second electrodes as well as the first and third electrodes are pressed together and an electric contact is established between the second and third electrodes, via the first electrode. This kind of electrode configuration is sometimes referred to as shunt-mode configuration, because the first electrode shunts the insulating or highly resistive gap between the second and third electrodes when the first carrier film is pressed.」
（当審仮訳）
　図３は、本発明の第１の態様に係る入力装置３１０の一例である。入力装置３１０は、メンブレンスイッチ３１２の形態をした圧力センサを備えている。メンブレンスイッチ３１２は、第１キャリアフィルム３１４と、第２キャリアフィルム３１６と、
第１キャリアフィルム３１４と第２キャリアフィルム３１６との間に挟まれたスペーサ３１８
メンブレンスイッチは、第１キャリアフィルム上に配置された第１電極３３０ａと、第１電極に対向する関係で、第２キャリアフィルム３１６上に配置された第２及び第３電極３３０ｂ、３３０ｃとを備える。第１キャリアフィルム３１４に加えられた力によって、該第１キャリアフィルム３１４が第２キャリアフィルム３１６に向かってセンサセル３２０内に屈曲させられる
ウ　段落[0026]
　「[0026] The membrane switch 312 is sandwiched between a rigid base plate 322 (e.g. made of transparent or translucent material to allow backlighting of the input device), on which the membrane switch 312 is supported, and a thin, incompressible but flexible cover plate 324, which provides the outer surface for user interaction. To actuate the membrane switch 312, the user has to press on the cover plate 324, which is arranged to transmit the force to the first carrier film 314 and thus to cause the first carrier film 314 to bend until the electrodes 330a, 330b and 330c are in contact. The base plate 322 exerts the reaction force on the membrane switch 312.」
（当審仮訳）
　メンブレンスイッチ３１２は、メンブレンスイッチ３１２が支持される剛性基板３２２（例えば、入力装置のバックライトを可能にするために透明又は半透明材料で作られている。）と、使用者が使用するための外面を提供する、薄く、非圧縮性であるが可撓性のカバープレート３２４との間に挟まれる。
メンブレンスイッチ３１２を作動させるために、使用者は、力を第１キャリアフィルム３１４に導き、これにより電極３３０ａ、３３０ｂ及び３３０ｃが接触するまで第１キャリアフィルム３１４を屈曲させるように配置されたカバープレート３２４を押す必要がある。
エ　段落[0027]
　「[0027] The cover plate 324 is spaced from the first carrier film 314 by force-transmitting elements 332 (only one of which is shown) and a spacer frame 334. Each force-transmitting element 332 is centered on one of the sensor cells. Any force the user applies to the input device to achieve a switching is transmitted from the cover plate 324 to the first carrier film 314 via one of the force-transmitting elements 332 and causes the first carrier film 314 to bend into the sensor cell 320 towards the second carrier film 316.」
（当審仮訳）
　カバープレート３２４は、力伝達要素３３２（そのうちの一つのみが示されている）とスペーサフレーム３３４とによって第１キャリアフィルム３１４から離間されている。各力伝達要素３３２は、センサセルの一つにセンタリングされている。
スイッチを作動させるために使用者が入力装置に適用する任意の力は、力伝達要素３３２の一つを介してカバープレート３２４から第１キャリアフィルム３１４に導かれ、第１キャリアフィルム３１４を第２キャリアフィルム３１６に向かってセンサセル３２０内に屈曲させる。
オ　段落[0028]
　「[0028] The force-transmitting elements 332 are preferably made of substrate materials (i.e. of the same materials as the carrier films) or dielectric prints. The force-transmitting elements 332 are chosen substantially incompressible, which means that for pressures typically exerted thereon, they will not be significantly compressed. The distance between the force-transmitting elements 332 and the spacer frame is chosen such that the area, in which the cover plate may bend under the action of a force is much larger than the area of the sensor cell 320 underneath. The system sensitivity is adjustable by varying the distances between the force-transmitting elements 332 (and the spacer frame 334): the greater the diameter Δ of the cover cell, the lesser the activation force of the input device 310, because the cover plate 324 may thus bend over a larger area.」
（当審仮訳）
　力伝達要素３３２は、好ましくは基板材料（すなわち、キャリアフィルムと同じ材料）または誘電体印刷によって作製される。力伝達要素３３２は、実質的に非圧縮性であり、これは、典型的に加えられる圧力に対して、それらが著しく圧縮されないことを意味する。
力伝達要素３３２とスペーサフレームとの間の距離は、カバープレートが力の作用下で屈曲することができる領域が、下側のセンサセル３２０の領域よりもはるかに大きくなるように選択される。システムの感度は、力伝達要素３３２（及びスペーサフレーム３３４）間の距離を変化させることによって調整可能である。「カバーセル」の直径Δが大きければ大きいほど、カバープレート３２４はより大きな領域にわたって屈曲することができるので、入力装置３１０を作動させる力は小さくなる。
カ　段落[0029]
　「[0029] Those skilled in the art will appreciate that the parameters of the membrane switch 312 (height and diameter of the sensor cell 320) may be kept within ranges allowing mechanically stability and reliable operation.」
（当審仮訳）
　当業者は、メンブレンスイッチ３１２のパラメータ（センサセル３２０の高さ及び直径）を、機械的安定性及び信頼性のある動作を可能にする範囲内に維持することができることを理解するであろう。
キ　段落[0030]
　「[0030] A variant of the input device of Fig. 3 is shown in Fig. 5. For simplicity, the same reference numbers as in Fig. 3 are used in Fig. 5. The only difference with  respect to the input device of Fig. 3 is that the height H of the force-transmitting element 332 is greater than the height h of the spacer frame 334 (H  h). This induces a preload on the first carrier film 314, since the cover plate 324 is substantially stiffer than the first carrier film 314. The first carrier film 314 is thus slightly bent into the sensor cell 320 but there is still a distance between the electrodes on the first and the second carrier film, respectively, so that the user still needs to press on the cover plate to actuate the membrane switch. One may vary the height H of the force-transmitting element 332 to adjust the activation force (and thus the sensitivity) of the input device 310.」
（当審仮訳）
　図５には、図３の入力装置の変形例が示されている。簡略化のために、図３と同じ参照符号が図５においても使用されている。図３の入力装置との唯一の違いは、力伝達要素３３２の高さＨが、スペーサフレーム３３４の高さｈよりも大きい（Ｈ＞ｈ）ことである。カバープレート３２４は第１キャリアフィルム３１４よりも実質的に剛性が高いため、これにより第１キャリアフィルム３１４に与圧を生じさせる。このように、第１キャリアフィルム３１４は、センサセル３２０内にわずかに屈曲させられるが、第１キャリアフィルム上の電極と第２キャリアフィルム上の電極との間にそれぞれ距離が存在するので、使用者は、依然として、メンブレンスイッチを作動させるためにカバープレートを押圧する必要がある。力伝達要素３３２の高さＨを変化させて、入力装置３１０を作動させる力（したがって感度）を調整することができる。
ク　段落[0031]
　「[0031] Fig. 4 shows an example of an input device 410 according to the second aspect of the invention. The input device 410 comprises a pressure sensor in the form of a membrane switch 412. The membrane switch 412 includes a first carrier film 414, a second carrier film 416 and a spacer 418 sandwiched between the first and second carrier films 414, 416. The membrane switch 412 comprises a plurality of sensor cells 420 (only one of which is shown) defined by respective openings in the spacer 418. In each sensor cell 420, the membrane switch comprises a first electrode 430a arranged on the first carrier film and a second electrode 430b arranged on the second carrier film 416, in facing relationship with the first electrode. When a force exerted on the first carrier film 414 causes it to bend into the sensor cell 420 towards the second carrier film 416, the first and second electrodes are pressed together and an electric contact is established there between. This kind of electrode configuration is sometimes referred to as through-mode configuration.」
（当審仮訳）
　図４は、本発明の第２の態様に係る入力装置４１０の例を示すものである。入力装置４１０は、メンブレンスイッチ４１２の形態をした圧力センサを備えている。メンブレンスイッチ４１２は、第１キャリアフィルム４１４と、第２キャリアフィルム４１６と、第１キャリアフィルム４１４と第２キャリアフィルム４１６との間に挟まれたスペーサ４１８とを含む。メンブレンスイッチ４１２は、スペーサ４１８のそれぞれの開口部によって画定された複数のセンサセル４２０（そのうちの一つのみが図示されている）を備えている。各センサセル４２０において、
メンブレンスイッチは、第１キャリアフィルム上に配置された第１電極４３０ａと、第１電極に対向して第２キャリアフィルム４１６上に配置された第２電極４３０ｂとを備える
ケ　段落[0032]
　「[0032] It may be worthwhile noting that the input device of Fig. 4 could alternatively have an electrode arrangement in shunt-mode configuration. Similarly, the input device of Fig. 3 could alternatively have an electrode arrangement in through-mode configuration.」
（当審仮訳）
　図４の入力装置は、代替的に、「シャントモード」構成の電極構成を有することができることに留意されたい。同様に、
図３の入力装置は、代替的に、「スルーモード」構成の電極構成を有することができる
コ　上記ア及びオの記載（特に当審仮訳の下線部の箇所を参照。）、並びに図３の図示内容（スペーサフレーム３３４によって画定された屈曲領域の方が、スペーサ３１８によって画定された屈曲領域（センサセル３２０の領域）よりもはるかに大きいこと）に鑑みれば、引用文献１のカバープレート３２４は、使用者によって押圧されたときに、より大きな曲げ半径で曲げられ、第１キャリアフィルム３１４はより小さな曲げ半径で曲げられるように構成されていると認められる。
（２）引用発明
　上記の記載事項、認定事項、及び図示内容を総合し、本願発明の記載ぶりに則って整理すると、引用文献１には、次の発明（以下、「引用発明」という。）が記載されていると認められる。
　「入力装置３１０であって、当該入力装置３１０は：
　第２及び第３電極３３０ｂ、３３０ｃを有する第２キャリアフィルム３１６と；
　第２キャリアフィルム３１６からスペーサ３１８を介して離間して配置され、且つメンブレンスイッチ３１２を作動させるべく、屈曲させて第２キャリアフィルム３１６に接触させるように構成された第１キャリアフィルム３１４と；
　第２キャリアフィルム３１６とは反対側の第１キャリアフィルム３１４の近くに配置されたカバープレート３２４であって、カバープレート３２４は、カバープレート３２４と第１キャリアフィルム３１４との間に配置された力伝達要素３３２を有しており、第１キャリアフィルム３１４は、スペーサ３１８の間に配置された第１電極３３０ａを含み、第２キャリアフィルム３１６は、スペーサ３１８の間に配置された第２及び第３電極３３０ｂ、３３０ｃを含み、使用者によってカバープレート３２４に加えられた力が力伝達要素３３２を介して第１キャリアフィルム３１４に導かれ、それにより第１キャリアフィルム３１４が屈曲することで第２キャリアフィルム３１６に接触し、メンブレンスイッチ３１２が作動され、カバープレート３２４は、使用者によって押圧されたときにより大きな曲げ半径で曲げられ、第１キャリアフィルム３１４はより小さな曲げ半径で曲げられるように構成された、カバープレート３２４と；を有する、
　入力装置３１０。」
２　引用文献３
　本願の優先日前に頒布された刊行物である引用文献３には、図面と共に、次の事項が記載されている。
（１）「【０００２】
　感圧或いは荷重センサには、広範に分布させた複数のセンサセルを有するフレキシブルフィルム状のセンサが既に広く利用されている。一例（従来技術１）としては、多数のセル孔を有するフィルム状の絶縁スペーサの両面にフレキシブルな絶縁フィルムを張り合わせ、前記各セル孔毎にセル電極対を構成するように、前記両絶縁フィルム内面にセル電極がそれぞれ形成され、荷重或いは圧力の有無により電極対のオン／オフを行うメンブレンスイッチと称する荷重（感圧）センサがある。
他の一例としては、前記セル電極に加えて或いはその代わりに高抵抗材料の感圧インクからなる感圧抵抗層を備えた感圧センサがある
（２）「【００２０】
　前記各セル単位体２はその平面パターンが長軸及び短軸を有する長方形であり、その長軸（長辺）が前記センサ１の長手方向に沿う方向に向けられている。また、前記各セル単位体２は、
前記セル単位体と同様に長方形状の貫通孔からなるセル孔３を有するフィルム状の絶縁スペーサ４、このスペーサの両面に粘着されたフレキシブルフィルム状の第１（上部）及び第２（下部）絶縁フィルム５、６、及び前記各セル孔３内で前記各フィルム内面にそれぞれ被着された第１（上部）及び第２（下部）感圧抵抗セル層７、８を備えている
【００２１】
　
前記各セル層７、８はいずれも前記セル孔３内径とほぼ同じ形状／寸法の長方形であり、例えば銀インクからなる良導電層と高抵抗材料の例えば感圧インクからなる感圧抵抗層とを積層して形成され、各感圧抵抗層は相互離間して対面配置されている
【００２２】
　前記第１絶縁フィルム５側の各第１セル層７は前記銀インクからなる良導電性の配線層（図示せず）によって一連に電気的に接続されて外部端子９へ導かれ、第２絶縁フィルム６側の各第２セル層８も同様に他の銀インク配線層（図示せず）に電気的に接続されて外部端子１０へ導かれている。」
第５　対比
１　本願発明と引用発明とを対比する。
（１）引用発明の「入力装置３１０」は、その技術的な意味や機能からみて、本願発明の「感圧キー」に相当し、以下同様に、「第２及び第３電極３３０ｂ、３３０ｃ」は「１つ以上の導体部」に、「第２キャリアフィルム３１６」は「センサ基板」に、「スペーサ３１８」は「スペーサ層」に、「メンブレンスイッチ３１２」を「作動させる」ことは「入力」を「開始する」ことに、「第１キャリアフィルム３１４」は「可撓性コンタクト層」に、「カバープレート３２４」は「力コンセントレータ層」に、「力伝達要素３３２」は「パッド」にそれぞれ相当する。
（２）引用発明の「スペーサ３１８の間に配置された第１電極３３０ａ」は、「スペーサ層同士の間に配置された接点部材」である限りにおいて、本願発明の「スペーサ層同士の間に連続的に延びる力感知インク」と一致する。
　同様に、引用発明の「スペーサ３１８の間に配置された第２及び第３電極３３０ｂ、３３０ｃ」は、「スペーサ層同士の間に配置された導体部」である限りにおいて、本願発明の「スペーサ層同士の間に連続的に延びる導体部」と一致する。
（３）引用発明の「使用者によってカバープレート３２４に加えられた力が力伝達要素３３２を介して第１キャリアフィルム３１４に導かれ、それにより第１キャリアフィルム３１４が屈曲することで第２キャリアフィルム３１６に接触し、メンブレンスイッチ３１２が作動され」との構成に関し、引用文献１の図３の図示内容に鑑みれば、力伝達要素３３２を介して第１キャリアフィルム３１４に導かれた力は第１キャリアフィルム３１４に亘って拡がり、それにより第１キャリアフィルム３１４が屈折し、第１キャリアフィルム３１４（の第１電極３３０ａ）が第２キャリアフィルム（の第２及び第３電極３３０ｂ、３３０ｃ）に接触するのであるから、引用発明は、本願発明の「前記力コンセントレータ層に加えられた圧力が前記パッドを介して導かれ且つ前記可撓性コンタクト層に亘って拡げられて、前記可撓性コンタクト層が前記センサ基板に接触され、入力が開始され」との構成を有しているといえる。
（４）引用発明の「カバープレート３２４」は、「使用者によって押圧されたときにより大きな曲げ半径で曲げられ、第１キャリアフィルム３１４はより小さな曲げ半径で曲げられる」ように構成されているのであるから、引用発明は、本願発明の「前記圧力が前記力コンセントレータ層に加えられた接触部の曲げ半径よりも前記可撓性コンタクト層の変形曲げ半径を減少させる」構成を有しているといえる。
２　そうすると、本願発明と引用発明との一致点及び相違点は、次のとおりである。
＜一致点＞
　「感圧キーであって、当該感圧キーは：
　１つ以上の導体部を有するセンサ基板と；
　該センサ基板からスペーサ層を介して離間して配置され、且つ入力を開始するべく、屈曲させて前記センサ基板に接触させるように構成された可撓性コンタクト層と；
　前記センサ基板とは反対側の前記可撓性コンタクト層の近くに配置された力コンセントレータ層であって、該力コンセントレータ層は、前記力コンセントレータ層と前記可撓性コンタクト層との間に配置されたパッドを有しており、前記可撓性コンタクト層は、前記スペーサ層同士の間に配置された接点部材を含み、前記センサ基板は、前記スペーサ層同士の間に配置された前記導体部を含み、前記力コンセントレータ層に加えられた圧力が前記パッドを介して導かれ且つ前記可撓性コンタクト層に亘って拡げられて、前記可撓性コンタクト層が前記センサ基板に接触され、入力が開始され、前記圧力が前記力コンセントレータ層に加えられた接触部の曲げ半径よりも前記可撓性コンタクト層の変形曲げ半径を減少させるように構成された、力コンセントレータ層と；を有する、
　感圧キー。」
＜相違点＞
　「スペーサ層同士の間に配置された接点部材」及び「スペーサ層同士の間に配置された前記導体部」に関し、本願発明は、それぞれ、「スペーサ層同士の間に連続的に延びる力感知インク」、「スペーサ層同士の間に連続的に延びる導体部」であるのに対し、引用発明は、それぞれ、スペーサ３１８の間に配置された第１電極３３０ａ、スペーサ３１８の間に配置された第２及び第３電極３３０ｂ、３３０ｃである点。
第６　当審の判断
　上記相違点について検討する。
　引用文献１の段落[0031]及び図４には、第２の態様として、第１電極４３０ａ及び第２電極４３０ｂからなる電極構成（「スルーモード」構成）が記載されており、同段落[0032]には、図３の入力装置（引用発明に対応）が、第１電極３３０ａ並びに第２及び第３電極３３０ｂ、３３０ｃからなる電極構成（「シャントモード」構成）の代わりに、上記「スルーモード」構成を有することができることも記載されている。
　また、引用文献３の段落【０００２】には、感圧センサ装置において、電極と感圧インクからなる感圧抵抗層とが、併用または前者（電極）の代わりに後者（感圧インクからなる感圧抵抗層）を代用し得るものであることを示唆する記載があり、同段落【００２０】〜【００２２】及び図１には、接点部材を構成する第１（上部）及び第２（下部）感圧抵抗セル層７、８を、銀インクからなる良導電層と感圧インク（本願発明の「力感知インク」に相当する。）からなる感圧抵抗層によって形成した構成が記載されている。
　引用発明と引用文献３に記載の技術は、いずれも感圧センサ装置に関する技術である点で共通しており、引用発明の第１電極３３０ａ並びに第２及び第３電極３３０ｂ、３３０ｃに対し、引用文献３に記載の、感圧インクからなる感圧抵抗層を用いる技術を適用する動機付けは、十分に存在する。してみれば、引用発明において、上記の引用文献１及び３の記載及び示唆に鑑み、第１電極３３０ａを、連続的に延びる、感圧インクからなる感圧抵抗層を含むものとするとともに、第２及び第３電極３３０ｂ、３３０ｃを、連続的に延びる導体部とすることに、格別の困難性は認められない。
　その際、スペーサ層の間隔に対して感圧抵抗層及び導体部の大きさをどの程度にするかは、感圧センサ装置の具体的な適用対象に応じて、当業者が適宜設定し得たことであるうえ、引用文献３には、第１感圧抵抗セル層７及び第２感圧抵抗セル層８を絶縁スペーサ４のセル孔３内径とほぼ同じ形状／寸法とすることが記載されているから（段落【００２１】参照。）、感圧抵抗層及びそれと対向する導体部を「スペーサ層同士の間に」連続的に延びるものとすることは、当業者が適宜行い得たことである。
　よって、引用発明を、上記相違点に係る本願発明の構成とすることは、引用文献１に記載された事項、及び引用文献３に記載された事項に基いて、当業者が容易に想到し得たものである。
　そして、当該構成が奏する作用効果に関しては、感圧抵抗層及びそれと対向する導体部を「スペーサ層同士の間に」連続的に延びるものとすることにより、感圧抵抗層及びそれと対向する導体部がスペーサ層の付近まで延在することとなるのであるから、スペーサ層付近に力が加えられた場合であっても比較的一貫性のある電気的接触を維持することができることとなることは、当業者であれば十分予測し得たことである。
　したがって、本願発明は、引用発明、引用文献１に記載された事項、及び引用文献３に記載された事項に基いて当業者が容易に発明をすることができたものであるから、特許法第２９条第２項の規定により特許を受けることができない。
第７　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。